(57)【要約】【課題】１枚に複数の対象物の画像をコンパクトに収めることが可能な印刷媒体を用いて、複数の情報を選択的に入手できる情報提供システムを提供する。【解決手段】少なくとも２通りの画像にて形成されるレンチキュラー画像の表面にシート状のレンチキュラーレンズ６を配して、外から見る角度に応じて一の画像が視認される印刷媒体１を備える。この印刷媒体１から一つの画像をカメラ付き携帯端末装置２のカメラにて撮影して情報配信ウェブサーバー３に送ると、情報配信ウェブサーバー３は、送られてきた画像と予め登録してある基準画像とが一致しているとき、撮影した画像に対応する情報をデータベース２９から抽出し、カメラ付き携帯端末装置２へダウンロードする。【選択図】図１
2013232163.tif 000002
【特許請求の範囲】
【請求項１】
表面にシート状のレンチキュラーレンズが設けられ、見る角度に応じて予め印刷された少なくとも２種類の画像の内の一の画像が視認できるように形成された印刷媒体と、
前記印刷媒体上の前記画像を撮影するためのカメラを備えた携帯端末装置と、
複数の画像の夫々に対応し前記携帯端末装置に提供するための情報を格納するデータベースと、
前記データベースに接続された情報配信ウェブサーバーと、により構成され、
前記携帯端末装置は、
前記カメラが前記角度に応じて撮影した前記印刷媒体上の何れかの前記画像と予め登録してある基準画像とが一致しているかを判別する画像解析部と、
前記画像が前記基準画像と一致していると前記画像を前記情報配信ウェブサーバーに自動送信する通信手段と、を備え、
前記情報配信ウェブサーバーは、送信されてくる前記画像に対応する前記情報を前記データベースから抽出する情報抽出手段を有し、
前記携帯端末装置の通信手段は、前記情報配信ウェブサーバーが抽出した前記情報を前記携帯端末装置にダウンロードすることを特徴とする情報提供システム。
【請求項２】
前記印刷媒体は、カード状媒体であることを特徴とする請求項１に記載の情報提供システム。
【請求項３】
前記情報配信ウェブサーバーが配信する前記情報は、文字、アニメーション、図柄、動画及び静止画の何れかであって、前記携帯端末装置は、受信した前記情報を表示部に表示することを特徴とする請求項１に記載の情報提供システム。
【請求項４】
前記携帯端末装置は、前記画像に前記情報配信ウェブサーバーからダウンロードした情報を重畳して前記表示部に表示する拡張現実処理部を含むことを特徴とする請求項３に記載の情報提供システム。
【請求項５】
前記情報配信ウェブサーバーが配信する前記情報は、音声または音楽であって、前記携帯端末装置は受信した前記音声または前記音楽を出力することを特徴とする請求項１に記載の情報提供システム。
【請求項６】
前記携帯端末装置の通信手段は、前記印刷媒体の一方の前記画像を送信することで前記情報配信ウェブサーバーから文字、アニメーション、図柄、動画及び静止画の何れかの情報をダウンロードし、前記印刷媒体の他方の前記画像を送信することで前記情報配信ウェブサーバーから音声情報又は音楽情報をダウンロードすることを特徴とする請求項１に記載の情報提供システム。
【請求項７】
表面にシート状のレンチキュラーレンズが設けられ、見る角度に応じて予め印刷された少なくとも２種類の画像の内の一の画像が視認できるように形成された印刷媒体と、
前記印刷媒体上の前記画像を撮影するためのカメラを備えた携帯端末装置と、
前記携帯端末装置に提供するための情報を格納するデータベースと、
前記データベースに接続された情報配信ウェブサーバーと、により構成され、
前記携帯端末装置は、
前記カメラが前記角度に応じて撮影した前記印刷媒体上の何れかの前記画像と予め登録してある基準画像とが一致しているかを判別する画像解析部と、
前記画像が前記基準画像と一致していると前記画像を前記情報配信ウェブサーバーに自動送信する通信手段と、を備え、
前記情報配信ウェブサーバーは、
前記携帯端末装置から前記印刷媒体上の複数の前記画像が所定の順序で送信されてきているかを判別する画像判定手段と、
前記画像が所定の順序で送信されてきているとき所定の前記情報を前記データベースから抽出する情報抽出手段と、を備え、
前記携帯端末装置の通信手段は、前記情報配信ウェブサーバーが抽出した前記情報を前記携帯端末装置にダウンロードすることを特徴とする情報提供システム。
【発明の詳細な説明】
【技術分野】
【０００１】
本発明は、携帯端末装置へ情報を提供する情報提供システムに関する。
【背景技術】
【０００２】
携帯電話機等のカメラ付き携帯端末装置に情報を提供する方法としては、携帯端末装置のカメラにて二次元コードを撮影することで、携帯端末装置が、二次元コード内に設定しているＵＲＬコードのウェブサイトにアクセスして情報を取得することが知られている（例えば、特許文献１を参照）。
【０００３】
また、携帯端末装置のユーザーが商品のバーコードを撮影して、その画像データをネットワークサーバーが受信し、サーバーはバーコードの画像データから商品を特定して、それに関する情報をこのユーザーの携帯端末装置に返信することも知られている（例えば、特許文献２を参照）。
【０００４】
しかしながら、バーコードや二次元コードを、例えば、カタログやパンフレットなどの販売を促進するための媒体に印刷すると紙面の内容と調和せず美観を損ねる欠点がある。しかも、紙面の一部にこれらコードを印刷するためのスペースを設けなければならず紙面構成の点でも非効率となる。
【０００５】
そのため、バーコードや二次元コードを用いずに、カメラ付き携帯端末装置で広告チラシに掲載された商品等を撮影して、写真をネットワークサーバーに送ることで、サーバーが広告の写真を認識して関連する情報を携帯端末装置に返信する情報提供システムも知られている（例えば、特許文献３を参照）。
【先行技術文献】
【特許文献】
【０００６】
【特許文献１】特開２０１１−６５３９８号公報
【特許文献２】特開２００５−２５６８４号公報
【特許文献３】特開２００８−２５０７９０号公報
【発明の概要】
【発明が解決しようとする課題】
【０００７】
しかしながら、カメラにて撮影した対象物の画像をネットワークサーバーに送ることで、この対象物に関する情報を取得可能にした特許文献３のシステムでは、対象物が増えると、その分、これら対象物を印刷している広告チラシを大きくしたり、またはその枚数を増やしたりしなければならず、携帯端末装置のユーザーにとっては対象物を探すのに手間が掛かるばかりか保管も煩わしいものとなる。また、携帯端末装置と一緒に携帯するにも不向きである。
【０００８】
本発明は、上記課題に鑑み、１枚に複数の対象物の画像をコンパクトに収めることが可能な印刷媒体を用いた情報提供システムを提供することを目的とする。
【課題を解決するための手段】
【０００９】
本発明は、上記課題の解決をするために、本発明の情報提供システムは、表面にシート状のレンチキュラーレンズが設けられ、見る角度に応じて予め印刷された少なくとも２種類の画像の内の一の画像が視認できるように形成された印刷媒体と、前記印刷媒体上の前記画像を撮影するためのカメラを備えた携帯端末装置と、複数の画像の夫々に対応し前記携帯端末装置に提供するための情報を格納するデータベースと、前記データベースに接続された情報配信ウェブサーバーと、により構成され、前記携帯端末装置は、前記カメラが前記角度に応じて撮影した前記印刷媒体上の何れかの前記画像と予め登録してある基準画像とが一致しているかを判別する画像解析部と、前記画像が前記基準画像と一致していると前記画像を前記情報配信ウェブサーバーに自動送信する通信手段と、を備え、前記情報配信ウェブサーバーは、送信されてくる前記画像に対応する前記情報を前記データベースから抽出する情報抽出手段を有し、前記携帯端末装置の通信手段は、前記情報配信ウェブサーバーが抽出した前記情報を前記携帯端末装置にダウンロードすることを特徴としている。
【００１０】
そして、前記印刷媒体は、カード状媒体であることを特徴としている。また、前記情報配信ウェブサーバーが配信する前記情報は、文字、アニメーション、図柄、動画及び静止画の何れかであって、前記携帯端末装置は、受信した前記情報を表示部に表示することを特徴としている。さらに、前記情報配信ウェブサーバーが配信する前記情報は、音声または音楽であって、前記携帯端末装置は受信した前記音声または前記音楽を出力することを特徴としている。
【００１１】
そして、前記携帯端末装置の通信手段は、前記印刷媒体の一方の前記画像を送信することで前記情報配信ウェブサーバーから文字、アニメーション、図柄、動画及び静止画の何れかの情報をダウンロードし、前記印刷媒体の他方の前記画像を送信することで前記情報配信ウェブサーバーから音声情報又は音楽情報をダウンロードすることを特徴としている。
【００１２】
本発明の情報提供システムは、表面にシート状のレンチキュラーレンズが設けられ、見る角度に応じて予め印刷された少なくとも２種類の画像の内の一の画像が視認できるように形成された印刷媒体と、前記印刷媒体上の前記画像を撮影するためのカメラを備えた携帯端末装置と、前記携帯端末装置に提供するための情報を格納するデータベースと、前記データベースに接続された情報配信ウェブサーバーと、により構成され、前記携帯端末装置は、前記カメラが前記角度に応じて撮影した前記印刷媒体上の何れかの前記画像と予め登録してある基準画像とが一致しているかを判別する画像解析部と、前記画像が前記基準画像と一致していると前記画像を前記情報配信ウェブサーバーに自動送信する通信手段と、を備え、前記情報配信ウェブサーバーは、前記携帯端末装置から前記印刷媒体上の複数の前記画像が所定の順序で送信されてきているかを判別する画像判定手段と、前記画像が所定の順序で送信されてきているとき所定の前記情報を前記データベースから抽出する情報抽出手段と、を備え、前記携帯端末装置の通信手段は、前記情報配信ウェブサーバーが抽出した前記情報を前記携帯端末装置にダウンロードすることを特徴としている。
【発明の効果】
【００１３】
本発明に係る情報提供システムによれば、複数の画像にて形成されるレンチキュラー画像を印刷媒体に印刷して、印刷媒体を見る角度に応じて複数の画像を視認できるようにしたことで、印刷媒体をカメラにて撮影する角度を変えれば、複数の画像の中の一つをカメラ付き携帯端末装置に取り込むことが可能となる。これにより、携帯端末装置は、１枚の印刷媒体からでも撮影する画像に応じた複数の情報を情報配信ウェブサーバーから収集することができる。
【００１４】
そして、複数の画像を１枚の印刷媒体にコンパクトに収めたことで、印刷媒体を携帯端末装置と共に持ち運ぶのにも適しており、携帯端末装置のユーザーは外出先においても容易に情報配信ウェブサーバーから情報をダウンロードすることができる。
【図面の簡単な説明】
【００１５】
【図１】本発明に係る情報提供システムの構成を説明する図である。
【図２】本発明の一実施形態における印刷媒体の厚さ方向からの断面構成図である。
【図３】本発明の一実施形態における携帯端末装置の構成をブロックにて示す図である。
【図４】本発明の一実施形態における携帯端末装置の機能構成をブロックにて説明する図である。
【図５】本発明の一実施形態における情報配信ウェブサーバーの機能構成をブロックにて説明する図である。
【発明を実施するための形態】
【００１６】
以下、本発明の実施の形態について、図面を参照しながら説明する。
【００１７】
図１は、本発明に係る情報提供システムの構成を示しており、印刷媒体１に印刷されている画像を撮影するカメラ機能やビデオ機能を有した携帯端末装置２（以下、「カメラ付き携帯端末装置」または単に「携帯端末装置」という）と、情報配信ウェブサーバー３とは通信ネットワーク４を通して繋がっている。データベース２９は、カメラ付き携帯端末装置２に提供する情報を格納しており、情報配信ウェブサーバー３と接続されている。情報配信ウェブサーバー３との接続は、通信ネットワーク４を通しての接続であっても良い。
【００１８】
カメラ付き携帯端末装置２は、通常の携帯電話機やスマートフォンなどの携帯情報機器や可搬タイプのパーソナルコンピュータ等であるが、事前に本情報提供システムを利用するための専用アプリケーションがインストールされている。インストールは、例えば、このアプリケーションをダウンロードするためのＵＲＬにアクセスすることで行うことができる。
【００１９】
この専用アプリケーションは、カメラ付き携帯端末装置２のユーザーがキー操作または画面のタッチ操作をして動作を選択すると起動する。これにより、携帯端末装置２のカメラが動作して、ユーザーは印刷媒体１の表面に印刷されている画像にカメラレンズを向ける。
【００２０】
印刷媒体１は、図２に示すように、レンチキュラー画像５の表面に、微小で細長い凸レンズ６Ａを多数並べてシート状に形成したレンチキュラーレンズ６を配置して構成している。レンチキュラー画像５は、２つ以上の画像を細長く短冊状に切り、切った画像を交互に順番に並べて1枚の画像に印刷したもので、その印刷物の上にレンチキュラーレンズ６を貼り合わせて印刷媒体１を構成している。また、レンチキュラーレンズ６の裏面に直接、レンチキュラー画像５を印刷することも可能である。レンチキュラーレンズ６によるシートは透明なプラスチック製のものが使用される。
【００２１】
具体的には、本例での印刷媒体１の表面には、Ａ画像とＢ画像の２通りの画像が印刷されている。そして、この印刷媒体１を作成するにあたり、Ａ画像とＢ画像とをそれぞれ短冊状に細片化し、その各細片を交互に隣接して配列して１枚のレンチキュラー画像５を形成する。そして、Ａ画像及びＢ画像の隣り合う一組の細片の上にレンチキュラーレンズ６の１個の凸レンズ６Ａを配置することで、レンチキュラーレンズ６を通して外から印刷媒体１を見ると、見る角度に応じてＡ画像若しくはＢ画像の何れか一つが視認できる。
【００２２】
これにより、携帯端末装置２は、ユーザーが印刷媒体１の表面をカメラにて撮影する角度に応じてＡ画像またはＢ画像を撮影する。そして、携帯端末装置２は、画像を撮影により取り込むと、その画像がＡ画像であるかＢ画像であるかの認識処理を行って、何れかの画像であることを判別すると、情報配信ウェブサーバー３に接続してこの画像を自動送信する。このような、画像認識は、専用アプリケーションに登録してある基準画像と、カメラにて撮影された画像とが同一であるかを判別することで行われる。
【００２３】
そして、情報配信ウェブサーバー３は、携帯端末装置２が認識した画像がＡ画像であるかＢ画像であるかに応じて区別された情報をデータベース２９から抽出して携帯端末装置２へダウンロードする。データベース２９は、携帯端末装置２に提供する情報をＡ画像またはＢ画像に応じて分類して格納しており、情報配信ウェブサーバー３は、認識したＡ画像またはＢ画像に応じた情報をデータベース２９から抽出して、携帯端末装置２へ送信する。携帯端末装置２では、ダウンロードした情報を表示部２Ａに表示することで、ユーザーには情報配信ウェブサーバー３からの情報が提供される。
【００２４】
図１に示す例は、印刷媒体１を撮影する携帯端末装置２のカメラはＢ画像を撮影して、携帯端末装置２は通信ネットワーク４を通して情報配信ウェブサーバー３に自動送信しており、情報配信ウェブサーバー３はＢ画像に対応してデータベース２９が分類格納している情報を抽出し、携帯端末装置２にダウンロードする。
【００２５】
このように、本発明に係る情報提供システムによると、レンチキュラー印刷を利用して一つの印刷媒体１に複数の異なる画像を印刷しておき、それぞれ対象画像として登録しておくことで、携帯端末装置２は１枚の印刷媒体１からでも複数の情報を選択的にダウンロードすることができる。
【００２６】
本発明に係る情報提供システムの応用例として、印刷媒体１をカタログとして使用することができる。カタログでの場合、印刷媒体１のＡ画像とＢ画像とはそれぞれ異なる商品を表示しており、ユーザーが興味のある方の商品の画像を携帯端末装置２のカメラにて撮影して情報配信ウェブサーバー３に送信すると、情報配信ウェブサーバー３は、受信した画像の商品を更に詳しく説明する静止画、動画、アニメーション、文字、図面などの情報をダウンロードし、携帯端末装置２の表示部２Ａに表示する。
【００２７】
このとき、情報配信ウェブサーバー３から送信される情報としては、音声情報や音楽情報も可能であり、携帯端末装置２は受信した情報をスピーカなどに出力することで、ユーザー音声による商品説明や広告音楽などがユーザーに提供される。
【００２８】
また、カタログの例だけに限らず、Ａ画像を送信することで、情報配信ウェブサーバー３は静止画、動画、アニメーション、文字、図面などの情報を携帯端末装置２へダウンロードし、Ｂ画像を送信することで、音声情報や音楽情報をダウンロードするような使い分けもできる。よって、この場合には、携帯端末装置２のユーザーは、都合の良い情報提供形式を選択して、情報配信ウェブサーバー３からダウンロードすることができるようにしている。
【００２９】
情報配信ウェブサーバー３からダウンロードした情報を携帯端末装置２が表示部２Ａに表示する場合に、送られてくる情報を、現在、カメラが撮影して表示部２Ａに表示している実画像に重畳して表示することもできる。このような手法は、拡張現実（Ａｕｇｍｅｎｔｅｄ  Ｒｅａｌｉｔｙ）技術を採用することで容易に達成される。
【００３０】
拡張現実の手法を用いて、印刷媒体１の画像に静止画、動画、アニメーション、文字、図面などの画像を重畳描画した合成画像を表示することで、ユーザーへの情報の訴求効果が高まる。印刷媒体１をカタログとした場合などでは、印刷媒体１表面の商品の実画像上に商品の動作や操作を示す動画を重畳させれば効果的である。さらに、印刷媒体１のもう一方の画像を、この商品を販売する店舗の画像とすれば、店舗の実画像に場所を示す地図等を重畳させたりすることもできる。
【００３１】
このように、印刷媒体１にレンチキュラー画像を印刷すると、１枚の印刷媒体で画像の数を増やすことができるため、印刷媒体１の小型化または少数化が図れる。したがって、印刷媒体１をカードサイズにすれば携帯するにも便利であり、ユーザーが外出先においてカードの画像を撮影することで、随時、情報配信ウェブサーバー３から情報をダウンロードすることができる。
【００３２】
応用例としては、飲食チェーン店が自店の商品またはロゴマークの画像を印刷しているカード状の印刷媒体１を頒布しておき、このカードを携帯しているユーザーが外出先で店舗を利用したい場合に、カードの画像を携帯端末装置２のカメラにて撮影することで、情報配信ウェブサーバー３から店舗の一覧情報が携帯端末装置２に送られて、ユーザーが近くの店舗を確認することができる。このとき、ＧＰＳ（Ｇｌｏｂａｌ  Ｐｏｓｉｔｉｏｎ  Ｓｙｓｔｅｍ）を搭載した携帯端末装置２であれば、情報配信ウェブサーバー３は近くの店舗の情報を送るようなシステムも可能である。
【００３３】
図３はカメラ付き携帯端末装置２の構成を示すブロック図である。携帯端末装置２は、中央演算処理装置１０と、中央演算処理装置１０が実行する制御プログラムや上記の専用アプリケーションを格納しているメモリ部１１と、キー入力部１３と、カメラ１４と、スピーカ（または、イヤホン出力端子）１５と、情報配信ウェブサーバー３と情報の送受信を行う通信手段１６とを備えている。
【００３４】
図４は、中央演算処理装置１０が、キー入力部１３への操作入力にて前記専用アプリケーションを実行して携帯端末装置２側の動作を制御するときの、中央演算処理装置１０の機能的な構成をブロックにて示しており、画像処理部２０と、画像解析部２１と、拡張現実処理部２２と、送信部２３と、受信部２４とを備えている。
【００３５】
図４において、画像処理部２０は、カメラ１４が撮影した画像を表示部２Ａに表示する。このとき、画像解析部２１では、画像が予め登録した基準画像とカメラ１４で撮影された画像とが同一であるかを判別する。カメラ１４からの画像がＡ画像またはＢ画像であると、画像解析部２１はこのＡ画像またはＢ画像を送信部２３から通信手段１６を通して情報配信ウェブサーバー３に送信する。
【００３６】
図５は、情報配信ウェブサーバー３の機能的な構成をブロック図にて示しており、情報配信ウェブサーバー３は、画像受信部２５と、画像判定手段２６と、情報抽出手段２７と、情報送信部２８とを備えている。
【００３７】
図５において、携帯端末装置２から画像受信部２５に画像が送られてくると、画像判定手段２６にて送られてきた画像の種類を判別する。画像判定手段２６は、携帯端末装置２の画像解析部２１と同じ動作を行うものであるが、情報配信ウェブサーバー３の画像判定手段２６では、本説明とは直接関係しない他の印刷媒体１に印刷されているＡ画像及びＢ画像以外の別の画像についての基準画像も登録されており、何れに一致しているかを判別する。尚、これに合わせてデータベース２９もこれら画像に対応した情報を格納している。
【００３８】
そして、画像判定手段２６にて、送られてきた画像が何れかの画像と一致していることを判別すると、情報抽出手段２７はこの画像に関係する情報をデータベース２９に格納した情報の中から抽出し、情報送信部２８は、抽出した情報を画像を送信してきた携帯端末装置２へダウンロードする。
【００３９】
図４の説明に戻って、携帯端末装置２において、情報配信ウェブサーバー３から送られてくる情報を通信手段１６が受信して受信部２４へ出力すると、拡張現実処理部２２は、カメラ１４が現在、撮影している印刷媒体１の実画像（すなわち、Ａ画像またはＢ画像）に、送られてきた情報を重畳した合成画像を作成し表示部２Ａに表示する。図４では、拡張現実処理を行う構成を説明しているが、拡張現実処理を行わない場合は、受信部２４で受信した情報を破線にて示すように画像処理部２０に出力し、画像処理部２０は、カメラ１４からの画像に切り換えて受信した情報を表示部２Ａに表示すれば良い。
【００４０】
これまでに説明した本発明の実施の形態は、レンチキュラー画像を印刷した１枚の印刷媒体１にて複数の画像をチェンジング操作して画像を選択し撮影することで、それに応じた情報を情報配信ウェブサーバー３からダウンロードするようにしたものであるが、別の実施の形態についても説明する。
【００４１】
この実施の形態においては、携帯端末装置２にてカメラにて撮影した印刷媒体１上の画像を情報配信ウェブサーバー３に送信すると、情報配信ウェブサーバー３は送られてきた画像別に情報をダウンロードするのではなく、印刷媒体１上の複数の画像が所定の順序で送信されてきたときに情報をダウンロードする。
【００４２】
この場合の情報配信ウェブサーバー３の動作を図５により説明すると、画像判定手段２６は、携帯端末装置２から順次送られてくる画像の種類を判別すると共に、これら画像が所定の順序で送られてきたかについても判別する。そして、印刷媒体１上の複数の画像が所定の順序にて送られてきた場合、情報抽出手段２７は、最後に送られてきた画像に関係する情報をデータベース２９に格納した情報の中から抽出し、情報送信部２８は、抽出された情報を一連の画像を送信してきた携帯端末装置２へダウンロードする。
【００４３】
この実施形態は、２通りの所定の画像の組み合わせにより情報配信ウェブサーバー３が情報を送信するもので、応用例としては、情報配信ウェブサーバー３へのアクセスの精度やセキュリティーを高めることを目的とした利用がある。この場合、携帯端末装置２が、印刷媒体１の一方の画像をカメラ１４で撮影して情報配信ウェブサーバー３へ送信すると、情報配信ウェブサーバー３では、この画像を「キー情報」にして許可条件とし、次に携帯端末装置２から他方の画像が送られてきたとき、携帯端末装置２に情報をダウンロードするものである。
【００４４】
また、２通りの所定の画像の組み合わせにより情報配信ウェブサーバー３から携帯端末装置２が情報をダウンロードすることを利用して、抽選ゲーム等へのゲームへの展開する応用例も考えられる。
【産業上の利用可能性】
【００４５】
本発明は、ユーザーの所持している携帯端末装置のカメラにて印刷媒体上の画像を撮影してウェブサーバーに送ることで、携帯端末装置に情報をダウンロードできるようにしており、産業上の利用可能性を有する。
【符号の説明】
【００４６】
１      印刷媒体
２      カメラ付き携帯端末装置
２Ａ    表示部
３      情報配信ウェブサーバー
４      通信ネットワーク
１５    スピーカ
２１    画像解析部
２２    拡張現実処理部
２６    画像判定手段
２７    情報抽出手段
２９    データベース
【図１】
2013232163.tif 000003
【図２】
2013232163.tif 000004
【図３】
2013232163.tif 000005
【図４】
2013232163.tif 000006
【図５】
2013232163.tif 000007